(57)【要約】【課題】一重太鼓や二重太鼓結びであっても容易に行うことができる着物帯用補助具を提供する。【解決手段】中央にスリット状の開口部３２ａが形成された偏平板３２と、偏平板３２の上部に装着されて表面側に膨出した帯枕３３と、開口部３２ａの左右に設けられた一対の帯留め開口部３２ｂ、３２ｃと、扁平基板３２を利用して身体上を巻き付けた着物帯の手先と結び目裏に位置する着物帯との双方に係合して着物帯の手先を結び目裏に位置する着物帯に位置決めする手先止め金具３５とを備えている。【選択図】      図１
2006144151.tif 000002
【特許請求の範囲】
【請求項１】
中央にスリット状の開口部が形成された偏平板と、該偏平板の上部に装着されて表面側に膨出した帯枕と、前記開口部の左右に設けられた一対の帯留め開口部と、前記扁平基板を利用して身体上を巻き付けた着物帯の手先と結び目裏に位置する着物帯との双方に係合して前記着物帯の手先を前記結び目裏に位置する着物帯に位置決めする手先止め金具とを備えていることを特徴とする着物帯用補助具。
【請求項２】
中央にスリット状の開口部が形成された偏平板と、該偏平板の上部に装着されて表面側に膨出した帯枕と、前記扁平板の表面側左右両縁部に設けられた一対の帯留め金具と、前記扁平基板を利用して身体上に巻き付けた着物帯の手先と結び目裏に位置する着物帯との双方に係合して前記着物帯の手先を前記結び目裏に位置する着物帯に位置決めする手先止め金具とを備えていることを特徴とする着物帯用補助具。
【請求項３】
中央にスリット状の開口部が形成された偏平板と、該偏平板の上部に装着されて表面側に膨出した帯枕と、前記開口部の左右に設けられた一対の帯留め開口部と、前記扁平板の表面側左右両縁部のうち少なくとも一方に設けられた帯留め金具と、前記扁平基板を利用して身体上を巻き付けた着物帯の手先と結び目裏に位置する着物帯との双方に係合して前記着物帯の手先を前記結び目裏に位置する着物帯に位置決めする手先止め金具とを備えていることを特徴とする着物帯用補助具。
【請求項４】
前記帯止め金具は前記扁平基板に一体若しくは着脱可能であることを特徴とする請求項２又は請求項３に記載の着物帯用補助具。
【請求項５】
前記帯枕は前記扁平基板に着脱可能であることを特徴とする請求項１乃至請求項４の何れか一つに記載の着物帯用補助具。
【発明の詳細な説明】
【技術分野】
【０００１】
本発明は、着物を着付ける際の着物帯結びを容易に行わしめると共にその着物帯結び状態を維持する着物帯用補助具に関する。
【背景技術】
【０００２】
【特許文献１】特開２００３−２０５１１号公報
【０００３】
従来から、着物を着付ける際の着物帯結びを一人で行うには、その結び目が背中側に位置することと相俟って困難な作業であり、特に身体が硬いために作業する手を背中側に廻すことが困難な人には至難な作業となっていた。
【０００４】
そこで、このような着物帯結びを容易に行うことができる着物帯用補助具が知られている（特許文献１参照）。
【０００５】
図１９乃至図３１はこのような着物帯用補助具を示し、図１９（ａ）は腰布団を装着した状態の従来の着物帯用補助具の平面図、図１９（ｂ）は腰布団を取り外した状態の従来の着物帯用補助具の平面図、図２０は枕部を扁平板に取り付ける方法を説明する背面図、図２１は従来の着物帯用補助具の背面図、図２２〜図３１は従来の着物帯用補助具を使用して帯結びを整形する各手順を時系列で示した説明図である。
【０００６】
図１９において、着物帯用補助具１は、着物の着付けにおいて帯結びを整形する際に着用者の背中に当接されて使用される中央に開口部２が形成された環状扁平板３と、扁平板３上部に形成された係止部４（図２０参照）に装着される帯枕５と、係止部４の元端部近傍に位置する扁平板３の左右縁部に両端部がそれぞれ固定された仮紐６と、扁平板３の左右縁部中程位置に設けられた胴体に巻き付けられる一対のベルト７，７と、扁平板３下部に形成された切欠部８を跨ぐように扁平板３の表側に装着される腰布団９とからなる着物帯用補助具であり、前記係止部４には、左右縁部にそれぞれ３つの係止溝１０（図２０参照）が対称に位置付けて形成されている。
【０００７】
帯枕５は、図２０に示すように、ウレタン等の弾力性のある材料によって形成された楕円球冠状枕部１１と、枕部１１に固着された係止部４に当接する芯板１２と、芯板１２に係止部４の幅よりも僅かに狭い間隔を開けて形成された一対の固定穴１３，１３に両端部をそれぞれ固定したゴムバンド１４とを備えている。
【０００８】
帯枕５は、扁平板３の表側に枕部１１を位置付けた状態でゴムバンド１４の両縁部間に係止部４を通して係止部４に形成された係止溝１０にゴムバンド１４の両縁部を係止させることによって係止部４に着脱可能に装着されている。尚、帯枕５を係止部４に装着する際には、整形する帯結びの種類や帯を着用する者の体格等に応じて帯枕５のゴムバンド１４を係止する係止溝１０を選択することができ、例えば、一重太鼓やふくら雀等の帯結びを整形する場合には、対称に位置付けられた３組の係止溝１０のいずれかの組に帯枕５のゴムバンド１４の両縁部をそれぞれ係止すればよい。
【０００９】
腰布団９は、図１９（ｂ）に示すように、扁平板３の表側に切欠部８を挟んで設けられた上下に並ぶ２組の受けボタン１５，１５に対応するボタン１６，１６が固着された固定部１７と、固定部１７から垂下する布団部１８とから構成されており、当布団部１８は、当固定部１７との境界を折り目として上下に折り返すことができる。尚、腰布団９は、整形する帯結びのお太鼓の大きさによって扁平板３の両側の受けボタン１５，１５のいずれかの組を選択して装着することができ、小さなお太鼓の帯結びを整形する場合には、上側に位置する受けボタン１５，１５に固定部１７のボタン１６，１６を嵌合して腰布団９を扁平板３に装着すればよく、大きなお太鼓の帯結びを整形する場合には、下側に位置する受けボタン１５，１５に固定部１７のボタン１６，１６を嵌合して腰布団９を扁平板３に装着すればよい。
【００１０】
仮紐６は、図２１に示すように、長さの異なる３本のゴム紐１９ａ，１９ｂ，１９ｃを両端部にて束ねて両端部より取付部２０を延設させたものであり、扁平板３の外側に配置されるゴム紐１９ほど長くなっている。
【００１１】
このような着物帯用補助具１は、先ず、図２２に示すように、袋帯２１のたれ先２２から約７５ｃｍのところで箱ひだ２３を形成し、扁平板３下部に装着された腰布団９を外して箱ひだ２３を着物帯用補助具１の裏側に位置させた状態で扁平板３下部に形成された切欠部８から袋帯２１の胴廻り２４を扁平板３の開口部２に通す。この時、箱ひだ２３と帯枕５の間に仮紐６を配置する。
【００１２】
次に、図２３に示すように、再び扁平板３下部に腰布団９を装着し、たれ先２２を肩にかけた状態で扁平板３を背中に当接し、一対のベルト７，７を胴体の前に回し結んで着物帯用補助具１を背中に固定する。そして、腰布団９の布団部１８が胴廻り２４からはみ出さないように布団部１８を上方に折り曲げる。
【００１３】
次に、図２４に示すように、袋帯２１の胴廻り２４を胴体に二回巻き付けた後、残った胴廻り２４の帯幅を半分に折ると共に、半分に折った帯２５の折り目を下に向けて半分に折った帯２５を帯枕５の表側から裏側に回して帯枕５に掛ける。この時、帯枕５に回し掛けた半分に折った帯２５と箱ひだ２３との間に仮紐６を配置する。
【００１４】
そして、図２５に示すように、残った帯を手先２６まで広げて帯を絵柄が描かれた側が表側に来るように肩幅に合わして折り畳む。
【００１５】
次に、図２６に示すように、折り畳んだ帯の中央に三つのダーツ２７を設けて羽根２８を形成してダーツ２７を帯枕５の中央に位置付け、仮紐６の３本のゴム紐１９のうちで最も外側に位置するゴム紐１９ａを箱ひだ２３と半分に折った帯２５の間から着物帯用補助具１の表側に取り出す。
【００１６】
さらに、図２７に示すように、ゴム紐１９ａを羽根２８の一方端から通すと共に、帯枕５に通してゴム紐１９ａの張力によって羽根２８の中央を帯枕５の中央に固定する。続いて、仮紐６における３本のゴム紐１９のうちで真ん中に位置するゴム紐１９ｂを箱ひだ２３と半分に折った帯２５の間から着物帯用補助具１の表側に取り出る。
【００１７】
その後、図２８に示すように、ゴム紐１９ｂを羽根２８の他方端から通すと共に、帯枕５に通してゴム紐１９ａにクロスさせて配置し、ゴム紐１９ａと同様にゴム紐１９ｂの張力によって羽根２８の中央を帯枕５の中央に固定する。
【００１８】
最後に、図２９に示すように、肩にかけてあるたれ先２２を仮紐６の３本のゴム紐１９のうちで最も内側に位置するゴム紐１９ｃに通して箱ひだ２３が２本のゴム紐１９ａ，１９ｂによって固定された羽根２８の中央部を覆うように下方へ垂らす。この時、ゴム紐１９ｃが表側に現れるので、ゴム紐１９ｃを着物帯用補助具１と背中の間に入れて隠す。なお、箱ひだ２３を下方に垂らす際、ゴム紐１９ｃの上方に小さな羽根を造る部分を残して垂らしてもよい。
【００１９】
そして、図３０に示すように、下方へ垂らした帯の中間部でお太鼓２９を形成し、お太鼓２９とたれ先２２が重なり合う部分のお太鼓２９側折り返し内に帯締め３０を通した後、好みに合わしてたれ先２２の位置を調節して帯締め３０を締めることにより、図３１に示すように、ふくら雀の帯結びを整形することができる。
【発明の開示】
【発明が解決しようとする課題】
【００２０】
ところで、上記の如く構成された着物帯用補助具１にあっては、上述したふくら雀以外の他の帯結びも簡単に整形することができるとしている。
【００２１】
しかしながら、帯結びの中でも礼装用として極一般的に使用される一重太鼓やより正式な二重太鼓結びを行うには、如何様に行っても手先側の最終処理に無理が生じてしまうという問題が生じていた。
【００２２】
本発明は、上記問題を解決するため、一重太鼓や二重太鼓結びであっても容易に行うことができる着物帯用補助具を提供することを目的とする。
【課題を解決するための手段】
【００２３】
その目的を達成するため、請求項１に記載の着物帯用補助具は、中央にスリット状の開口部が形成された偏平板と、該偏平板の上部に装着されて表面側に膨出した帯枕と、前記開口部の左右に設けられた一対の帯留め開口部と、前記扁平基板を利用して身体上を巻き付けた着物帯の手先と結び目裏に位置する着物帯との双方に係合して前記着物帯の手先を前記結び目裏に位置する着物帯に位置決めする手先止め金具とを備えていることを特徴とする。
【００２４】
また、請求項２に記載の着物帯用補助具は、中央にスリット状の開口部が形成された偏平板と、該偏平板の上部に装着されて表面側に膨出した帯枕と、前記扁平板の表面側左右両縁部に設けられた一対の帯留め金具と、前記扁平基板を利用して身体上に巻き付けた着物帯の手先と結び目裏に位置する着物帯との双方に係合して前記着物帯の手先を前記結び目裏に位置する着物帯に位置決めする手先止め金具とを備えていることを特徴とする。
【００２５】
さらに、請求項３に記載の着物帯用補助具は、中央にスリット状の開口部が形成された偏平板と、該偏平板の上部に装着されて表面側に膨出した帯枕と、前記開口部の左右に設けられた一対の帯留め開口部と、前記扁平板の表面側左右両縁部のうち少なくとも一方に設けられた帯留め金具と、前記扁平基板を利用して身体上を巻き付けた着物帯の手先と結び目裏に位置する着物帯との双方に係合して前記着物帯の手先を前記結び目裏に位置する着物帯に位置決めする手先止め金具とを備えていることを特徴とする。
【００２６】
このような請求項１乃至請求項３に記載の構成の着物帯用補助具にあっては、一重太鼓や二重太鼓結びを行った際、手先止め金具によって着物帯の手先と結び目裏に位置する着物帯とを位置決めすることによって容易に端部処理を行うことができる。
【００２７】
請求項４に記載の着物帯用補助具は、前記帯止め金具は前記扁平基板に一体若しくは着脱可能であることを特徴とする。
【００２８】
請求項４に記載の着物帯用補助具によれば、帯止め金具を必要に応じて必要に応じた部位に使用することができる。
【００２９】
請求項５に記載の着物用補助具は、前記帯枕は前記扁平基板に着脱可能であることを特徴とする。
【００３０】
請求項５に記載の着物帯用補助具によれば、帯枕の大きさを結び方に応じたものを使用することができ、より一層幅広い結び方に利用することができる。
【発明を実施するための最良の形態】
【００３１】
次に、本発明の着物帯用補助具の実施の形態を図面に基づいて説明する。
【００３２】
図１は本発明の着物用補助具の正面図、図２は本発明の着物用補助具の斜視図である。
図１及び図２において、本発明の着物帯補助具３１は、正面視略矩形を呈する樹脂製の扁平板３２と、この扁平板３２の上部に固定若しくは着脱可能に装着された帯枕３３と、扁平板３２に伸縮可能な紐材３４を介して固定若しくは完全別体の手先止め金具３５とを備えている。
【００３３】
扁平板３２は、幅１０ｃｍ程度のものが使用されており、帯枕３３の下方には中央及びその左右に高さ方向に延びるスリット状の開口部３２ａ，３２ｂ，３２ｃが形成されている。
【００３４】
帯枕３３は、周知のものと同一構成のものを扁平板３２に固定若しくは着脱可能としており、その両端には帯枕紐（図示せず）が設けられている。
【００３５】
手先止め金具３５は棒状若しくは板状の比較的硬い金属若しくは樹脂からなり、弾性変形可能な係合爪３５ａを一体に備えている。
【００３６】
次に、着物帯補助具３１を用いて一重太鼓結びをする場合を図３乃至図１２に基づいて説明する。尚、ここでは一重太鼓結びであるため、帯長さは３５０ｃｍ程度のものが使用されている。
【００３７】
先ず、図３に示すように、帯４０の全体を長手方向に沿って裏面合わせ状態で反折りし、中央の開口部３２ａに対して裏面側から手元４０ａを挿入（表面側から太鼓部側を挿入しても良い）する。この際、手元４０ａは開口部３２ａから２３０ｃｍ〜２５０ｃｍ程引き出される。
【００３８】
次に、図４に示すように、全体を裏返し、太鼓部４０ｂを広げた後、図５に示すように、太鼓部４０ｂの末広がり状となった基部を覆うように手元４０ａを開口部３１ｂ及び３１ｃに挿入（矢印参照）する。この際、図６に示すように、手元４０ａは扁平板３２から５０ｃｍ程度引き出され、その反対側には折り返された胴巻部４０ｃが形成される。
【００３９】
この状態から、図７に示すように、帯枕３３を覆うように帯上４１を配置した後に、図８に示すように、太鼓部４０ｂを折り返し（矢印参照）て一重太鼓結びを構成すると共に、図９に示すように、手元４０ａを太鼓部４０ｂ内に挿入する。
【００４０】
そして、図１０に示すように、太鼓部４０ｂにかりひも４２を挿入した上で枕帯紐、帯上げ４１、かりひも４２を用いて身体上にセットし、胴巻部４０ｃを身体上に巻きつける（矢印参照）。
【００４１】
この際、図１１に示すように、胴巻部４０ｃは、その折り返し端部に挿入した手先止め金具３５により太鼓部４０ｂ内の帯の一部と係合（身体胴お回り長さによって係合位置は異なる）させることにより容易に帯止めすることができる。
【００４２】
図１２は、手先止め金具３５による帯止めの一例を示し、帯４０の開口部３２ｂを通る部分に手先止め金具３５を挿入し、その係合爪３５ａを胴巻部４０ｃの折り返し部分に挿入したものである。尚、この挿入関係は逆でも良い。
【００４３】
このように、本発明の着物帯用補助具３１を用いれば、図１０に示した状態とするまでは身体に着ける必要がなく畳上や卓上等での作業とすることができるため、身体の固い人等であっても容易に着付けを行うことができる。また、身体胴回りには帯４０を１回りだけすればよく、従来の着付けのような２回りさせる必要が無いので、この点からも帯締め作業の容易化を向上させることができる。
【００４４】
ところで、上記実施例では、３つの開口部３２ａ〜３２ｃを設けたものを開示したが、例えば、図１３，図１４に示すように、開口部３２ａと開口部３２ｃとの間（開口部３２ａと開口部３２ｂとの間にも併用して設けても良い）に帯留め金具３６を設け、例えば、図６及び図７に示した状態のときに帯４０を押さえて崩れを防止することも可能である。また、開口部３２ｂ，３２ｃの代わりにこの帯留め金具３６を設けてもよい。
【００４５】
また、図１５に示すように、手先止め金具３５にフック３７を設けると共に扁平板３２の両縁部にゴム等の伸縮部材３８を介してフック３９を設け、これらフック３９の一縁部側にフック３７を係合させるようにしてもよい。尚、フック３９は胴回りの太い人と細い人といった場合に対応するもので、両縁部に必ずしも設ける必要は無い。
【００４６】
さらに、図１６に示すように、手先留め金具３５を扁平な部材としても良い。
【００４７】
また、帯留め金具３６に変えて、図１７及び図１８に示すように、扁平版３２の裏面側に扁平版３２の下端から突出する折り返し部分を有する帯留め体３６とし、その帯留め体３６の下端に凸釦３６ａを設け、扁平版３２の表面側にこの凸釦３６ａと係合可能な凹釦３２ｄを設けて帯４０を下縁部を巻き込むように帯留め体３２で支持し、各釦３６ａ，３２ｄを係合させるようにしても良い。
【００４８】
尚、上記実施の形態では、一重太鼓結びで説明したが、二重太鼓結びであっても、使用する帯の長さが結び目部分（太鼓部４０ｂに相当する部分）が異なるだけで、本発明の着物帯用補助具３１の使用形態には何ら変わりは無い。
【図面の簡単な説明】
【００４９】
【図１】本発明の実施の形態に係わる着物帯用補助具の正面図である。
【図２】本発明の実施の形態に係わる着物帯用補助具の斜視図である。
【図３】本発明の実施の形態に係わる着物帯用補助具を用いて帯結びをする過程の説明図である。
【図４】本発明の実施の形態に係わる着物帯用補助具を用いて帯結びをする過程の説明図である。
【図５】本発明の実施の形態に係わる着物帯用補助具を用いて帯結びをする過程の説明図である。
【図６】本発明の実施の形態に係わる着物帯用補助具を用いて帯結びをする過程の説明図である。
【図７】本発明の実施の形態に係わる着物帯用補助具を用いて帯結びをする過程の説明図である。
【図８】本発明の実施の形態に係わる着物帯用補助具を用いて帯結びをする過程の説明図である。
【図９】本発明の実施の形態に係わる着物帯用補助具を用いて帯結びをする過程の説明図である。
【図１０】本発明の実施の形態に係わる着物帯用補助具を用いて帯結びをする過程の説明図である。
【図１１】本発明の実施の形態に係わる着物帯用補助具を用いて帯結びをする過程の説明図である。
【図１２】本発明の実施の形態に係わる着物帯用補助具を用いて帯結びをする過程の説明図で、（Ａ）は要部の拡大図正面、（Ｂ）は要部の拡大平面図である。
【図１３】本発明の実施の形態に係わる着物帯用補助具の変形例１の正面図である。
【図１４】本発明の実施の形態に係わる着物帯用補助具の変形例１の斜視図である。
【図１５】本発明の実施の形態に係わる着物帯用補助具の変形例２の正面図である。
【図１６】本発明の実施の形態に係わる着物帯用補助具を変形例３の正面図である。
【図１７】本発明の実施の形態に係わる着物帯用補助具の変形例４の背面図である。
【図１８】本発明の実施の形態に係わる着物帯用補助具の変形例４の正面図である。
【図１９】従来の帯整姿具を示した平面図である。
【図２０】枕部を偏平基板に取り付ける方法を説明する背面図である。
【図２１】従来の帯整姿具を示した背面図である。
【図２２】従来の帯整姿具を使用して帯結びを整形する手順を示した説明図である。
【図２３】従来の帯整姿具を使用して帯結びを整形する手順を示した説明図である。
【図２４】従来の帯整姿具を使用して帯結びを整形する手順を示した説明図である。
【図２５】従来の帯整姿具を使用して帯結びを整形する手順を示した説明図である。
【図２６】従来の帯整姿具を使用して帯結びを整形する手順を示した説明図である。
【図２７】従来の帯整姿具を使用して帯結びを整形する手順を示した説明図である。
【図２８】従来の帯整姿具を使用して帯結びを整形する手順を示した説明図である。
【図２９】従来の帯整姿具を使用して帯結びを整形する手順を示した説明図である。
【図３０】従来の帯整姿具を使用して帯結びを整形する手順を示した説明図である。
【図３１】従来の帯整姿具を使用して帯結びを整形する手順を示した説明図である。
【符号の説明】
【００５０】
３１…着物帯用補助具
３２…扁平板
３２ａ…開口部
３２ｂ…開口部
３２ｃ…開口部
３３…帯枕
３５…手先止め金具
３６…帯留め金具
【図１】
2006144151.tif 000003
【図２】
2006144151.tif 000004
【図３】
2006144151.tif 000005
【図４】
2006144151.tif 000006
【図５】
2006144151.tif 000007
【図６】
2006144151.tif 000008
【図７】
2006144151.tif 000009
【図８】
2006144151.tif 000010
【図９】
2006144151.tif 000011
【図１０】
2006144151.tif 000012
【図１１】
2006144151.tif 000013
【図１２】
2006144151.tif 000014
【図１３】
2006144151.tif 000015
【図１４】
2006144151.tif 000016
【図１５】
2006144151.tif 000017
【図１６】
2006144151.tif 000018
【図１７】
2006144151.tif 000019
【図１８】
2006144151.tif 000020
【図１９】
2006144151.tif 000021
【図２０】
2006144151.tif 000022
【図２１】
2006144151.tif 000023
【図２２】
2006144151.tif 000024
【図２３】
2006144151.tif 000025
【図２４】
2006144151.tif 000026
【図２５】
2006144151.tif 000027
【図２６】
2006144151.tif 000028
【図２７】
2006144151.tif 000029
【図２８】
2006144151.tif 000030
【図２９】
2006144151.tif 000031
【図３０】
2006144151.tif 000032
【図３１】
2006144151.tif 000033